(57)【要約】  乾式注入形配電用変圧器のコイルを被覆するために用いられるエポキシ樹脂絶縁システムを乾燥し、ゲル化をし、最終硬化をするための内部加熱法を開示している。その内部法では、型内を真空にして液状の樹脂で封入された変圧器のコイルを抵抗加熱するために直流（ＤＣ）電流を制御し、供給するために直流電源を用いている。乾燥、ゲル化、最終硬化をするための指定温度を実現するために導体の断面積とエポキシ樹脂の量に基づき一定のコイルに直流電流が加えられる。温度は直流抵抗による加熱により制御されて、各ステップに対して一定期間維持される。
2005510856.tif 000002
【特許請求の範囲】
【請求項１】
変圧器のコイルを絶縁する方法で、
（ａ）変圧器のコイルを型内に置いて、コイル・型集合体を作ること、
（ｂ）直流電流をコイルに加えて、コイルを設定時間の間、設定温度になるように抵抗加熱して、コイル、及び、コイル・型集合体の内部から全ての水分を除去すること、
（ｃ）直流電流をコイル・型集合体に加え、その一方で、真空の下でコイルを抵抗加熱して設定温度を保持し、コイルを封入するために液状エポキシ樹脂を型に充填すること、
（ｄ）直流電流をコイルに加えて、エポキシのゲル化を達成するために、エポキシで封入されたコイルを設定時間の間、設定温度にするため抵抗加熱すること、
（ｅ）直流電流をコイルに加え続けて、エポキシで封入されたコイルを抵抗加熱し、最終温度にして、設定時間の間、エポキシで封入されたコイルに対する最終硬化温度を実現すること。
（ｆ）その後に、硬化したエポキシで封入されたコイルを型から取出すこと、
のステップから成る方法。
【請求項２】
直流電圧をコイル導体に加えて、かつ、プロセスのステップ（ｂ）から（ｅ）に必要な導体温度を維持するために、その直流電圧を、循環電流と共に監視することを特徴とする請求項１に記載の変圧器のコイルを絶縁する方法。
【請求項３】
コイル導体の抵抗を継続的に監視し、かつ、温度に変換することを特徴とする請求項２に記載の変圧器のコイルを絶縁する方法。
【請求項４】
同じコイル用巻き線を直列配置で電気的に相互接続することにより、複数のコイルを同時に処理することを特徴とする請求項２に記載の変圧器のコイルを絶縁する方法。
【請求項５】
同じコイル用巻き線を並列配置で電気的に相互接続することにより、複数のコイルを同時に処理することを特徴とする請求項２に記載の変圧器のコイルを絶縁する方法。
【発明の詳細な説明】
【技術分野】
【０００１】
本発明は、乾式の配電用変圧器の樹脂で封入されたコイルを乾燥／ゲル化／硬化するための内部加熱方法に、より特定すれば、鉱物を充填したエポキシ樹脂絶縁システムを用いて封入した乾式配電用変圧器の真空注入をされたコイルの加熱、ゲル化、硬化のために直流の電圧／電流を用いる方法に関する。
【背景技術】
【０００２】
変圧器の真空注入された巻き線の加熱、ゲル化、硬化を行う従来のプロセスは空気を強制対流した炉による外部加熱を用いることにより行われてきた。そのような従来技術のプロセスでは、熱が外から内に加えられるが、それは、自然で最も好ましいゲル化のプロセルである内から外へのプロセスの反対になっている。内から外への加熱は従来の炉では可能でない。外からの加熱には多くの欠点がある。第一に、温度勾配が水分勾配と反対になっていて、コイル・絶縁体の構造からの水分伝播が非常に悪く、遅くなる。第二に、外からの熱は樹脂の外側をゲル化するが、これも、最初に内部を収縮させるという好ましい自然のプロセスとは反対になっている。これらの両方の欠点その他によりプロセスのサイクル時間が内から外への加熱を行えるプロセスの２倍のオーダーになる。この従来技術のプロセスについて、処理エネルギーの必要量を低減するために、サイクル時間を短縮し、それにより、製造能力を高める努力の中で試験が行われた。内部の抵抗による加熱を用いて変圧器のエポキシで封入されたコイルの急速な乾燥、ゲル化、硬化を行うために可変の直流（ＤＣ）電源を用いることが望ましい。本発明のプロセスでは、従来の炉及びゲル化・硬化技術と比較して、ゲル化と硬化の間の内部応力をごく僅かにする。この応力低減は主として、外から内への従来の炉内加熱と比較して（導体の抵抗による加熱で）内から外に加熱することによる。本発明のプロセスは長いゲル化・硬化の時間を約５０−７０％低減し、高価な従来の炉を無くす。
【特許文献１】米国特許第６，２２１，２９７号明細書
【発明の開示】
【発明が解決しようとする課題】
【０００３】
本発明の目的は、真空注入による乾式配電用変圧器のコイルを封入するために用いられるエポキシ樹脂絶縁システムの乾燥、ゲル化、最終硬化を行うための内部加熱方法を提供することである。本発明は変圧器のコイルを絶縁する方法を目指していて、変圧器のコイルを型の中に置いて、コイル・型集合体を作ること、コイルに直流電流を加えてコイルを抵抗加熱して、コイル及びコイル・型集合体の内部を設定温度にして、設定時間の間に全ての水分を除去するステップが含まれる。さらに、この方法には、コイル・型集合体に直流電流を加えて、その一方で、真空下でコイルを抵抗加熱して設定温度に保持し、充填するステップが含まれる。
【０００４】
型を用いて、液状のエポキシ樹脂でコイルを封入する。さらに、この方法には、直流電流をコイルに加えて、エポキシで封入されたコイルを抵抗加熱して、エポキシのゲル化を達成するために設定時間の間、設定温度にするステップが含まれる。さらに、この方法には、コイルを封入しているエポキシの最終硬化を実現するために、直流電流をコイルに加え続けて、エポキシで封入されたコイルを抵抗加熱して、設定時間の間、最終温度にして、その後に硬化したエポキシで封入されたコイルを型から取出すステップが含まれる。
【０００５】
本発明のこれ以上の開示及びその別の目的と利点については、添付図面と関連付けられた以下の説明を参照されたい。
【０００６】
図１及び図２を参照すると、乾式の配電用変圧器のエポキシ樹脂で封入されたコイルをゲル化／硬化する従来プロセスが示されている。それは従来の標準的な炉で行われる。従来技術のプロセスには、変圧器のコイル１０を型１２の中に置いて、コイル・型集合体１４を作ること、次ぎに、封入された部分１０と液状樹脂１６を含むコイル・型集合体１４を図示されていない標準のゲル化／硬化用の炉に移すことが含まれている。炉の温度プロフィール（ｐｒｏｆｉｌｅ）（８０℃から１４０℃）は図示されていないコンピューター制御装置により制御される。通常監視されていている温度は、図１に示すように上部の温度（Ｔｔｏｐ）と下部の温度（Ｔｂｏｔｔｏｍ）と外側の温度（Ｔｅｘｔｅｒｉｏｒ）及び導体の温度（Ｔｃｏｎｄｕｃｔｏｒ）、及び、図２に示すように端部の温度（Ｔｅｎｄ）と中央の温度（Ｔｃｅｎｔｅｒ）である。図１でＴｂｏｔｔｏｍ≧Ｔｔｏｐ、図２でＴｃｅｎｔｒｅ≧Ｔｅｎｄになる。封入された部分即ちコイル１０の温度は約６時間の間、約１００℃で一定に保持される。この時間で、ゲル化は完了するはずであり、次ぎに温度が１４０℃に達するまで４時間に亘って温度を徐々に高める。１４０℃で、硬化サイクルが開始され、通常、６時間に亘って行われる。この従来プロセスでは、熱エネルギーが炉から来るので、大きな矢印で示すように、熱は外部から封入された部分の内部に伝えられる。外側のゲル化が最初に行われ、内部に液状樹脂を有する物体を閉じ又は密封するので、これでは良好なゲル化状態にならない。ゲル化しない樹脂は膨張を続け、ガスを発生して、捕捉される。それ故、内部空洞の可能性を生じる。内部空洞のリスクを克服ないし最小限にするために処理時間を延長し、非常にゆっくりと行わなければならない。理論的には、樹脂は内部から外側に、又、下部から上部に硬化していくべきである。この方法で、ゲル化段階の間に、化学的収縮による空洞を充填するのに、又、ガス発生による空洞を充填するのに、液状の樹脂を常に利用できる。
【課題を解決するための手段】
【０００７】
図３、４、５は、本発明のコイルを加熱するプロセスを示しているが、直流加熱を用いて、図３及び４の大きな矢印で示すように、内部から外側に流れる。図３及び４に示すように、変圧器のコイル２０が型２２の中に置かれ、コイル・型集合体２４を形成する。直流電流がコイル２０に加えられて、そのコイルを抵抗加熱して、設定時間の間、設定温度にして、コイル及びコイル・型集合体２４の内部から全ての水分を除去する。直流電流がコイル・型集合体２４に加えられ、その一方で、真空下でコイル２０を抵抗加熱して、設定温度に保持し、型２２に液状のエポキシ樹脂２６を充填し、コイル２０を封入する。直流電流をコイル２０に加えて、エポキシで封入されたコイルを設定時間の間、設定温度にするため抵抗加熱し、エポキシのゲル化を実現する。直流電流は導体を流れて、導体の温度を選択した値まで高める。それにより、ゲル化が内部から外側へと生じていく。これが内部の空洞を生じるリスクを無くする。直流電流をコイル２０に加え続けて、エポキシで封入されたコイルを最終温度まで抵抗加熱し、設定時間の間にエポキシで封入されたコイルを最終硬化温度にして、その後に、硬化したエポキシで封入されたコイルを型から取出す。プロセスは周辺の温度と圧力（室内の状態）で完結でき、炉は必要がない。図３で、Ｔｂｏｔｔｏｍ＞Ｔｔｏｐであり、かつ、Ｔｉｎｔｅｒｉｏｒ≧Ｔｃｏｎｄｕｃｔｏｒ＞Ｔｅｘｔｅｒｉｏｒである。図４では、Ｔｃｅｎｔｅｒ＞Ｔｅｎｄである。例えば、ゲル化の近似的温度範囲として、Ｔｃｏｎｄｕｃｔｏｒ＝１１０−１２０℃で、硬化は約１４０℃までである。全体的サイクル時間が５０％以上低減し、設備投資が低減する。
【０００８】
本発明の注入による生産プロセスを示す基本的４ステップには乾燥、封入、ゲル化、硬化が含まれている。図５を参照されたい。乾燥ステップではエポキシ封入ステップの前に絶縁システムから全ての水分を除去するために加熱を必要とする。これはコイルを型内に置いた後で実施される。封入ステップでは、コイル・型集合体を真空にして、エポキシ樹脂を充填する。次のステップで、コイル・型集合体に充填された樹脂を一定の指定温度対時間のプロフィールでゲル化し、硬化しなければならない。乾燥、ゲル化、硬化の各ステップが、コイル・型集合体を指定温度に加熱するためにエネルギーを加えることを必要とする。本発明では直流電流を用いて、その部分を抵抗加熱して、指定の温度対時間のプロフィールにする。直流電流は、乾燥、ゲル化、最終硬化のための指定温度を実現するために、その導体断面積、及び、そのエポキシ樹脂の量に基づいて、与えられたコイルに加えられる。
【０００９】
エポキシの架橋結合による封入は温度対時間のプロフィールに依存していて、そのプロフィールは全プロセスに亘って正確に制御しなければならない。本発明のこの新しいプロセスでは、導体の直流抵抗の測定により温度の精度が向上する。伝統的な温度制御法は熱電対、抵抗温度計等のようなセンサーを用いていて、高圧絶縁システムの誘電特性を損なうことがある。これらの理由で、ゲル化／硬化の温度は直流電源により外部から制御しなければならない。本発明では電位の低下により温度を制御する（導体抵抗法）。特に、コイル導体の抵抗をパソコン／プログラマブル・ロジック・コンピューター（ＰＣ／ＰＬＣ）付き制御装置により継続的に監視し、図６及び８に示すように温度に変換する。直流電圧を加えて、種々のプロセスの各ステップに対して必要な導体温度を維持するために、循環電流と共に監視する。この方法は全プロセス（即ち、絶縁材料の事前乾燥、エポキシのゲル化、エポキシの最終硬化）に対して使用できる。直列の場合は図６、又は、並列の場合は図８の配置に同一巻き線を相互接続することにより、多数のコイルを同時に処理できる。図６及び８に示した例では３個のコイルが含まれる。図７に示すように、各コイルの引出し線を接続して、電流が全巻き線を流れるようにする。
【００１０】
本発明を実施するには種々のタイプの型を使用できるけれども、特許文献１に開示されたタイプの使い捨ての型が特に適当である。本発明の全ての処理に必要な直流電流は処理すべき巻き線の種々の特性による。本発明は広範囲の製品に使用される。例えば、１１２．５ＫＶＡから１２，０００ＫＶＡまでで、指定温度に加熱するのに必要な直流の電圧と電流が非常に広範囲になる。特定の巻き線又は巻き線のセットを処理する直流の要件を決定するために、以下の設計データを得ることが必要である。導体のタイプ（アルミか銅か）、導体の断面積、定格動作電圧、定格動作電流、定格電流での温度上昇。このデータ、及び、室温での巻き線抵抗の測定値から、予定処理温度での巻き線の抵抗を計算できる。さらに、巻き線の物理的寸法、エポキシの体積、導体と絶縁材の質量のような別のデータが、封入された巻き線の硬化特性を最良にするための時間／温度のプロフィールを予測するのに役立つだろう。例として、ここで開示されたタイプの巻き線は通常２５０から３７５ミル（ｍｉｌ）のオーダーという比較的大きなエポキシ封入厚みを有している。
【００１１】
実験データの解析では、以下のような抵抗範囲が与えられている：モールド形低電圧側コイル−２５℃で０．００００８から０．０５オーム、及び、モールド形高圧側コイル−２５℃で０．０１から５５．０オーム。上記の例の約９０％を処理できる直流電源は５ボルト、３，０００アンペアから１，０００ボルト、２５０アンペアの範囲の出力を必要とする。
【００１２】
本発明の好ましい実施例が説明され、図示されているけれども、修正済み請求項の精神と範囲を逸脱せずに、さらにそれを修正できることを理解されたい。
【図面の簡単な説明】
【００１３】
【図１−２】標準の従来型の炉内で行われる従来技術の通常のゲル化／硬化のプロセスを示す。
【図３−４】本発明の加熱を示していて、直流加熱を用いて内部から外側にコイルを加熱している。
【図５】本発明の種々の処理ステップを示す略図である。
【図６−７】直流電流を用いて複数の同一巻き線を同時に処理するための典型的な直列接続構成を示している単純化した略図である。
【図８】直流電流を用いて複数の同一巻き線を同時に処理するための典型的な並行接続構成を示している単純化した略図である。
【符号の説明】
【００１４】
１０    コイル、封入された部分
１２    型
１４    コイル・型集合体
１６    液状の樹脂
２０    コイル
２４    コイル・型集合体
【図１】
2005510856.tif 000003
【図２】
2005510856.tif 000004
【図３】
2005510856.tif 000005
【図４】
2005510856.tif 000006
【図５】
2005510856.tif 000007
【図６】
2005510856.tif 000008
【図７】
2005510856.tif 000009
【図８】
2005510856.tif 000010
【国際調査報告】
2005510856.tif 000011
2005510856.tif 000012